(57)【特許請求の範囲】
【請求項１】
上部棘突起と下部棘突起との間に挿入されるインプラントであって、上位プレートと下位プレートとの一端が連結されて「コ」字又は「Ｕ」字状で形成され、棘突起間に挿入されて弾性力を提供するスペーサと、上位プレートを上部棘突起に密着結合させる上部棘突起結合手段と、下位プレートを下部棘突起に密着結合させる下部棘突起結合手段とを備え、上位プレートは、上部棘突起と癒合されて動くように上位プレートの上面から底面を貫通して形成される１つ以上の骨癒合孔を備え、下位プレートは、下部棘突起と癒合されて動くように下位プレートの上面から底面を貫通して形成される１つ以上の骨癒合孔を備え、
前記上部棘突起結合手段は、上位プレートの側面を貫通して形成された貫通ホールに挿入されて回転する第１の回転棒により上方に回転した後、上部棘突起の両側面で密着して上部棘突起に結合され、前記下部棘突起結合手段は、下位プレートの側面を貫通して形成された貫通ホールに挿入されて回転する第２の回転棒により下方に回転した後、下部棘突起の両側面で密着して下部棘突起に結合されることを特徴とする棘突起間癒合型インプラント。
【請求項２】
上位プレートで骨癒合孔が形成されていない上位プレートの上面には、上部棘突起と締結されるように固定突起が複数形成され、下位プレートで骨癒合孔が形成されていない下位プレートの底面には、下部棘突起と締結されるように固定突起が複数形成されることを特徴とする請求項１に記載の棘突起間癒合型インプラント。
【請求項３】
前記骨癒合孔が形成される部分に対応する上位プレートの側面部は、前記骨癒合孔と連結されるように上位プレートの側面部を貫通して形成される骨癒合孔をさらに備え、前記骨癒合孔が形成される部分に対応する下位プレートの側面部は、前記骨癒合孔と連結されるように下位プレートの側面部を貫通して形成される骨癒合孔をさらに備えることを特徴とする請求項１に記載の棘突起間癒合型インプラント。
【請求項４】
第１の回転棒に貫通結合された上側羽根が上方に回転し、第２の回転棒に貫通結合された下側羽根が下方に回転し、上側羽根と下側羽根とが各々第１の回転棒と第２の回転棒上
で互いに密着して締結されることにより、上側羽根に備えられた複数の棘突起固定スパイクと下側羽根に備えられた複数の棘突起固定スパイクとが上部棘突起と下部棘突起とに差し込まれることを特徴とする請求項１に記載の棘突起間癒合型インプラント。
【請求項５】
前記上位プレートの側面を貫通して形成された貫通ホールと下位プレートの側面を貫通して形成された貫通ホールとは互いに外れた位置に形成されて、第１の回転棒が第２の回転棒より前方に備えられ、第１の回転棒と第２の回転棒とを同じ方向に回転させることにより、第１の回転棒に結合された上側羽根が上方に回転し、第２の回転棒に結合された下側羽根が下方に回転することを特徴とする請求項４に記載の棘突起間癒合型インプラント。
【請求項６】
上側羽根と下側羽根との下部には、各々第１の回転棒及び第２の回転棒が貫通結合される四角形の貫通ホールが形成され、上部には、複数の棘突起固定スパイクが備えられ、第１の回転棒及び第２の回転棒の外周面は、貫通結合された上側羽根と下側羽根とを回転させることができる形状で形成されることを特徴とする請求項４に記載の棘突起間癒合型インプラント。
【請求項７】
第１の回転棒及び第２の回転棒はボルト状であって、ボルト頭部は、上位プレート及び下位プレートの一側に位置し、ボルト胴体は、貫通ホールを貫通して他側に露出し、上側羽根を構成する左側羽根は、ボルト頭部と上位プレートとの間に露出するボルト胴体に結合され、下側羽根を構成する左側羽根は、ボルト頭部と下位プレートとの間に露出するボルト胴体に結合され、上側羽根を構成する右側羽根と下側羽根を構成する右側羽根とは、他側に露出するボルト胴体に結合されることを特徴とする請求項４に記載の棘突起間癒合型インプラント。
【請求項８】
前記左側羽根と右側羽根とに形成された四角形の貫通ホールに結合する部分に対応するボルト胴体の外周面は、ボルト胴体の回転の際、左右側羽根を回転させることができるように平らに削られた面を複数個備えることを特徴とする請求項７に記載の棘突起間癒合型インプラント。
【請求項９】
前記右側羽根の外側ボルト胴体には締結ナットが結合され、締結ナットを締結することにより、右側羽根がボルト胴体に沿って左側羽根方向へ移動し、次いで、左側羽根もボルト胴体に沿って右側羽根方向へ移動することにより、左側羽根と右側羽根とが互いに向かい合う方向に密着して締結されることを特徴とする請求項７に記載の棘突起間癒合型インプラント。
【請求項１０】
締結ナットにより左右側羽根が密着して締結された後、締結ナットの外側ボルト胴体には固定ナットが結合されることを特徴とする請求項９に記載の棘突起間癒合型インプラント。
【発明の詳細な説明】
【技術分野】
【０００１】
本発明は、棘突起間癒合型インプラントに関し、より詳細には、脊椎中央の脊椎管、神経根管、又は脊間孔が狭くなって発生する脊椎管狭窄症を治療するために、隣接する棘突起（ｓｐｉｎｏｕｓ  ｐｒｏｃｅｓｓ）間に挿入される棘突起間癒合型インプラントに関する。
【背景技術】
【０００２】
脊椎管とは、頭の中の脳と連結されて、脳で発生した信号を手と足とに伝達する「電線」のような役割をする脊椎神経が通る通路である。それぞれの脊骨後方にある穴が上下に連結されてトンネルを形成し、そのトンネルを介して神経が脳から手、足に繋がっている。脊椎管狭窄症とは、このような脊椎神経が通る通路が狭くなって神経を圧迫する病気である。最も頻繁に発生する退行性狭窄症は、脊椎が老化過程を経て、前方では退行性変化を起こしたディスク（椎間板）が突出して神経を押し、後方では、神経を囲んでいる黄色靭帯が厚くなり、固くなって神経を押し、脊椎管の後方に位置する椎間関節が肥大して、脊骨の摩擦により非正常的に成長した骨（骨棘）によって脊椎神経が押されることによって発生する。
【０００３】
近年、このような脊椎管狭窄症を治療するために、隣接する棘突起間に挿入されるインプラント（ｉｍｐｌａｎｔ）が多く使用されている。しかしながら、従来のインプラントは、上部及び下部の棘突起と癒合できず、一緒に動かずに別々に動くため、脊椎の長い期間の動きによって棘突起を損傷させるだけでなく、棘突起間から離脱するという問題がある。
【０００４】
また、インプラントを棘突起間に挿入する際には、背中で靭帯を切断してから挿入しなければならないので、手術時間が長くかかり、手術が終わった後、患者が回復するのに時間が長くかかるという問題もある。
【０００５】
また、棘突起間に挿入後、上部及び下部の棘突起と結合する羽根部分は、棘突起の厚さに合うように調節可能な構造とはなっておらず、インプラントが上部及び下部の棘突起と完全かつ安定的に結合できないという問題がある。
【先行技術文献】
【特許文献】
【０００６】
【特許文献１】大韓民国登録特許第１０−１３４６０９５号公報
【特許文献２】大韓民国公開特許第１０−２０１０−００８０９０８号公報
【発明の概要】
【発明が解決しようとする課題】
【０００７】
本発明は、上記の従来技術の問題を解決するためのものであって、隣接する棘突起間に挿入されて、上部棘突起及び下部棘突起側に弾性力を提供することにより、棘突起間の空間を維持し、上部及び下部棘突起と一体的に動くことができる棘突起間癒合型インプラントを提供しようとすることに発明の課題がある。
【０００８】
また、棘突起の後から挿入する方式でない、棘突起の側面から挿入後、機構を利用して羽根を回転させ、締結することで、最小侵襲手術が可能である棘突起間癒合型インプラントを提供しようとすることに発明の課題がある。
【０００９】
また、隣接する棘突起間に挿入後、棘突起の両側面で羽根を締結して上側羽根及び下側羽根が棘突起に完全かつ安定的に結合される棘突起間癒合型インプラントを提供しようとすることに発明の課題がある。
【課題を解決するための手段】
【００１０】
上記の課題を解決するための本発明の棘突起間癒合型インプラントは、上部棘突起と下部棘突起との間に挿入されるインプラントであって、上位プレートと下位プレートとの一端が連結されて「コ」字又は又は「Ｕ」字状で形成され、棘突起間に挿入されて弾性力を提供するスペーサと、上位プレートを上部棘突起に密着結合させる上部棘突起結合手段と、下位プレートを下部棘突起に密着結合させる下部棘突起結合手段とを備え、上位プレートは、上部棘突起と癒合されて動くように上位プレートの上面から底面を貫通して形成される１つ以上の骨癒合孔を備え、下位プレートは、下部棘突起と癒合されて動くように下位プレートの上面から底面を貫通して形成される１つ以上の骨癒合孔を備える。
【００１１】
また、上位プレートで骨癒合孔が形成されていない上位プレートの上面には、上部棘突起と締結されるように固定突起が複数形成され、下位プレートで骨癒合孔が形成されていない下位プレートの底面には、下部棘突起と締結されるように固定突起が複数形成され得る。
【００１２】
また、前記骨癒合孔が形成される部分に対応する上位プレートの側面部は、前記骨癒合孔と連結されるように上位プレートの側面部を貫通して形成される骨癒合孔をさらに備え、前記骨癒合孔が形成される部分に対応する下位プレートの側面部は、前記骨癒合孔と連結されるように下位プレートの側面部を貫通して形成される骨癒合孔をさらに備えることができる。
【００１３】
また、前記上部棘突起結合手段は、上位プレートの側面を貫通して形成される貫通ホールに挿入されて回転する第１の回転棒により上方に回転した後、上部棘突起の両側面で密着して上部棘突起に結合され、前記下部棘突起結合手段は、下位プレートの側面を貫通して形成される貫通ホールに挿入されて回転する第２の回転棒により下方に回転した後、下部棘突起の両側面で密着して下部棘突起に結合されることができる。
【００１４】
また、第１の回転棒に貫通結合された上側羽根が上方に回転し、第２の回転棒に貫通結合された下側羽根が下方に回転し、上側羽根と下側羽根とが各々第１の回転棒と第２の回転棒上で互いに密着して締結されることにより、上側羽根に備えられた複数の棘突起固定スパイクと下側羽根に備えられた複数の棘突起固定スパイクとが上部棘突起と下部棘突起とに差し込まれることができる。
【００１５】
また、前記上位プレートの側面を貫通して形成された貫通ホールと下位プレートの側面を貫通して形成された貫通ホールとは互いに外れた位置に形成されて、第１の回転棒が第２の回転棒より前方に備えられ、第１の回転棒と第２の回転棒とを同じ方向に回転させることにより、第１の回転棒に結合された上側羽根が上方に回転し、第２の回転棒に結合された下側羽根が下方に回転することができる。
【００１６】
また、上側羽根と下側羽根との下部には、各々第１の回転棒及び第２の回転棒が貫通結合される四角形の貫通ホールが形成され、上部には、複数の棘突起固定スパイクが備えられ、第１の回転棒及び第２の回転棒の外周面は、貫通結合された上側羽根と下側羽根とを回転させることができる形状で形成されることができる。
【００１７】
また、第１の回転棒及び第２の回転棒はボルト状であって、ボルト頭部は、上位プレート及び下位プレートの一側に位置し、ボルト胴体は、貫通ホールを貫通して他側に露出し
、上側羽根を構成する左側羽根は、ボルト頭部と上位プレートとの間に露出するボルト胴体に結合され、下側羽根を構成する左側羽根は、ボルト頭部と下位プレートとの間に露出するボルト胴体に結合され、上側羽根を構成する右側羽根と下側羽根を構成する右側羽根とは、他側に露出したボルト胴体に結合されることができる。
【００１８】
また、前記左側羽根と前記右側羽根とに形成された四角形の貫通ホールに結合する部分に対応するボルト胴体の外周面は、ボルト胴体の回転の際、左右側羽根を回転させることができるように平らに削られた面を複数個備えることができる。また、前記右側羽根の外側ボルト胴体には締結ナットが結合され、締結ナットを締結することにより、右側羽根がボルト胴体に沿って左側羽根方向へ移動し、次いで、前記左側羽根もボルト胴体に沿って右側羽根方向へ移動することにより、左側羽根と右側羽根とが互いに向かい合う方向に密着して締結されることができる。
【００１９】
また、締結ナットにより左右側羽根が密着して締結された後、締結ナットの外側ボルト胴体には固定ナットが結合され得る。
【発明の効果】
【００２０】
本発明に係る棘突起間癒合型インプラントによれば、上部棘突起と下部棘突起とに弾性力を提供して上部及び下部棘突起間の空間を維持させるだけでなく、上位プレートと下位プレートとに形成された骨癒合孔を介して上部及び下部棘突起と癒合されて動くことにより、棘突起を損傷させずに棘突起間から離脱される現象を防止できるという効果がある。
【００２１】
また、棘突起の側面で挿入後、機構を利用して羽根を回転させ、締結することで、最小浸湿手術が可能であるという効果がある。
【００２２】
また、隣接する棘突起間に挿入後、棘突起の両側面で羽根を締結すれば、羽根に備えられた複数個のスパイクが棘突起の両側面に密着して差し込まれることにより、上側羽根と下側羽根とが上部及び下部棘突起に安定的に結合されるという効果がある。
【００２３】
また、上側羽根と下側羽根とを折れた状態で棘突起間に挿入することができ、挿入の際、羽根が上部及び下部棘突起にかからず、棘突起の後だけでなく、側面でも挿入が可能であるという効果がある。
【図面の簡単な説明】
【００２４】
【図１】本発明に係る棘突起間癒合型インプラントが棘突起間に挿入された形態を示す側面図である。
【図２】本発明に係る棘突起間癒合型インプラントの羽根が広がった後、最終固定された形態を示す斜視図である。
【図３】本発明に係る棘突起間癒合型インプラントの羽根が広がった後、最終固定された形態を示す側面図である。
【図４】本発明に係る棘突起間癒合型インプラントの羽根が広がった後、最終固定された形態を示す平面図である。
【図５】本発明に係る棘突起間癒合型インプラントの羽根が折れた後、棘突起間に挿入されるときの形態を示す斜視図である。
【図６】本発明に係る棘突起間癒合型インプラントが棘突起間に挿入された後、羽根を広げた形態を示す斜視図である。
【図７】本発明に係る棘突起間癒合型インプラントが棘突起間に挿入された後、羽根を広げた形態を示す平面図である。
【図８】本発明に係る棘突起間癒合型インプラントが棘突起間に挿入された後、羽根を広げた形態を示す正面図である。
【図９】本発明に係る棘突起間癒合型インプラントが棘突起間に挿入された後、締結ナットを締結することによって左右側羽根が締結された形態を示す正面図である。
【図１０】本発明に係る棘突起間癒合型インプラントの左右側羽根を締結した後、固定ナットを用いて固定させた形態を示す正面図である。
【図１１】棘突起間に挿入されるスペーサの側面図である。
【図１２】スペーサの側面に形成された貫通ホールに挿入されて回転する回転棒の斜視図である。
【図１３】複数の棘突起固定スパイクが備えられた羽根の斜視図である。
【発明を実施するための形態】
【００２５】
以下では、添付図面を参照して本発明に係る一実施形態をより詳細に説明する。
【００２６】
図１〜図７に示すように、棘突起間癒合型インプラント１０は、棘突起ｓｐ１、ｓｐ２間に挿入されるスペーサ２０、上部棘突起結合手段３０、及び、下部棘突起結合手段４０を備える。
【００２７】
スペーサ２０は、上位プレート２１と下位プレート２２との一端が連結されて「コ」字又は「Ｕ」字状で形成され、隣接する棘突起ｓｐ１、ｓｐ２に弾性力を提供する。
【００２８】
上部棘突起結合手段３０は、上位プレート２１を上部棘突起ｓｐ１に密着結合させ、下部棘突起結合手段４０は、下位プレート２２を下部棘突起ｓｐ２に密着結合させる。
【００２９】
上位プレート２１は、上部棘突起ｓｐ１と癒合されて動くように上位プレート２１の上面から底面を貫通して形成される１つ以上の骨癒合孔２３ａを備え、下位プレート２２は、下部棘突起ｓｐ２と癒合されて動くように下位プレート２２の上面から底面を貫通して形成される１つ以上の骨癒合孔２３ａを備える。骨癒合孔２３ａに骨粉が満たされれば、上位プレート２１に形成された骨癒合孔２３ａに満たされた骨粉は、上部棘突起ｓｐ１と癒合され、下位プレート２２に形成された骨癒合孔２３ａに満たされた骨粉は、下部棘突起ｓｐ２と癒合される。
【００３０】
上位プレート２１で骨癒合孔２３ａが形成されていない上位プレート２１の上面には、上部棘突起ｓｐ１と締結するように固定突起２５が複数形成され、下位プレート２２で骨癒合孔２３ａが形成されていない下位プレート２２の底面には、下部棘突起ｓｐ２と締結するように固定突起２５が複数形成されている。
【００３１】
図２に示すように、上位プレート２１に２個の骨癒合孔２３ａが形成され、骨癒合孔２３ａが形成されていない部分には固定突起２５が複数形成されることにより、上位プレート２１が上部棘突起ｓｐ１に効果的に癒合され得る。下位プレート２１も上位プレート２１と同様である。
【００３２】
上位プレート２１で骨癒合孔２３ａが形成される部分に対応する上位プレート２１の側面部は、骨癒合孔２３ａと連結されるように上位プレート２１の側面部を貫通して形成される骨癒合孔２３ｂをさらに備え、下位プレート２２で骨癒合孔２３ａが形成される部分に対応する下位プレート２２の側面部は、骨癒合孔２３ａと連結されるように下位プレート２２の側面部を貫通して形成される骨癒合孔２３ｂをさらに備える。
【００３３】
図２に示すように、上位プレート２１の上面から底面を貫通する骨癒合孔２３ａと上位プレート２１の側面を貫通して形成される骨癒合孔２３ｂとは、上位プレート２１において同じ位置で連結される構造で形成され、骨粉が骨癒合孔２３ａ、２３ｂを満す場合、上位プレート２１は、上部棘突起ｓｐ１とさらに固く癒合されることができ、これは、下位
プレート２２の場合も同様である。
【００３４】
上部棘突起結合手段３０は、上位プレート２１の側面を貫通して形成される貫通ホール２１ａに挿入されて回転する第１の回転棒３１により上方に回転した後、上部棘突起ｓｐ１の両側面に密着して上部棘突起ｓｐ１に結合される。
【００３５】
下部棘突起結合手段４０は、下位プレート２２の側面を貫通して形成される貫通ホール２２ａに挿入されて回転する第２の回転棒４１により下方に回転した後、下部棘突起ｓｐ２の両側面に密着して下部棘突起ｓｐ２に結合される。
【００３６】
具体的に、第１の回転棒３１に貫通結合された上側羽根３２、３３が上方に回転し、第２の回転棒４１に貫通結合された下側羽根４２、４３が下方に回転し、上側羽根３２、３３及び下側羽根４２、４３が各々第１の回転棒３１及び第２の回転棒４１上で互いに密着して締結されることにより、上側羽根３２、３３に備えられた複数の棘突起固定スパイク３２ａ、３３ａと下側羽根４２、４３に備えられた複数の棘突起固定スパイク４２ａ、４３ａとが上部棘突起ｓｐ１と下部棘突起ｓｐ２とに差し込まれるようになる。棘突起間癒合型インプラント１０が上下部棘突起ｓｐ１、ｓｐ２間に挿入された後、別の機構を利用して第１の回転棒３１及び第２の回転棒４１を回転させる。
【００３７】
上側羽根３２、３３と下側羽根４２、４３との下部には、各々第１の回転棒３１及び第２の回転棒４１が貫通結合される四角形の貫通ホールが形成され、上部には、複数の棘突起固定スパイク３２ａ、３３ａ、４２ａ、４３ａが備えられ、第１の回転棒３１及び第２の回転棒４１の外周面は、貫通結合された上側羽根３２、３３と下側羽根４２、４３とを回転させることができる形状で形成される。
【００３８】
図１２及び図１３に示すように、上側羽根３２の下部には、四角形の貫通ホール３２ｂが形成され、上側羽根３２の上部には、複数の棘突起ｓｐ１、ｓｐ２固定スパイク３２ａが備えられる。残りの羽根もこれと同一である。第１の回転棒３１の外周面は、ねじ山が形成されてナットが結合でき、両側面が削られており、上側羽根３２に形成された四角形の貫通ホール３２ｂが非常に結合しやすい構造とされており、第１の回転棒３１の回転の際、上側羽根３２も回転するようになる。
【００３９】
図１１に示すように、上位プレート２１の側面を貫通して形成された貫通ホール２１ａと下位プレート２２の側面を貫通して形成された貫通ホール２２ａとは、互いに離れた位置に形成されて、第１の回転棒３１が第２の回転棒４１より前方に備えられ、別の機構を利用して第１の回転棒３１と第２の回転棒４１とを同じ方向に回転させることにより、第１の回転棒３１に結合された上側羽根３２、３３が上方に回転し、第２の回転棒４１に結合された下側羽根４２、４３が下方に回転するようになる。
【００４０】
上位プレート２１に形成された貫通ホール２１ａと下位プレート２２に形成された貫通ホール２２ａとが互いに重ならない位置に形成されることにより、スペーサ２０が厚くなり過ぎることを防止でき、第１の回転棒３１と第２の回転棒４１とが互いに影響を受けない状態で容易に回転することができる。
【００４１】
図５に示すように、隣接する棘突起ｓｐ１、ｓｐ２間に挿入されるときには、第１の回転棒３１に結合された上側羽根３２、３３と第２の回転棒４１に結合された下側羽根４２、４３との一端が互いに反対方向に向けて折れている。
【００４２】
図６に示すように、機構を利用して第１の回転棒３１及び第２の回転棒４１を回転させるとき、折れた上側羽根３２、３３が上方に回転し、折れた下側羽根４２、４３が下方に
回転して広がるようになる。
【００４３】
図２〜図４に示すように、第１の回転棒３１及び第２の回転棒４１はボルト状であって、ボルト頭部３４、４４は、上位プレート２１及び下位プレート２２の一側に位置し、ボルト胴体３１、４１は、貫通ホール２１ａ、２２ａを貫通して上位プレート２１及び下位プレート２２の他側に露出し、上側羽根を構成する左側羽根３２は、ボルト頭部３４と上位プレート２１との間に露出するボルト胴体３１に結合され、下側羽根を構成する左側羽根４２は、ボルト頭部４４と下位プレート２２との間に露出するボルト胴体４１に結合され、上側羽根を構成する右側羽根３３と下側羽根を構成する右側羽根４３とは、当該他側に露出するボルト胴体３１、４１に結合される。
【００４４】
図１２に示すように、左側羽根３２、４２と右側羽根３３、４３とに形成された四角形の貫通ホール３２ｂに結合する部分に対応するボルト胴体３１の外周面は、ボルト胴体の回転の際、左右側羽根を回転させることができるように平らに削られた面３１ａ、３１ｂを複数個備える。第２の回転棒４１も第１の回転棒３１と同じ形状で形成される。
【００４５】
具体的に、ボルト胴体３１で左側羽根３２、４２が結合する部分３１ａに対応するボルト胴体の外周面は、貫通された左側羽根を回転させることができるように一部が平らに削られており、左側羽根３２、４２が結合する部分で繋がるボルト胴体の一部分３１ｃは円筒形の胴体を形成し、右側羽根３３、４３が結合する部分３１ｂに対応するボルト胴体の外周面は、貫通結合された右側羽根を回転させることができるように一部が平らに削られている。
【００４６】
図８〜図１０に示すように、棘突起間癒合型インプラント１０が隣接する棘突起ｓｐ１、ｓｐ２に挿入された後、第１の回転棒３１及び第２の回転棒４１を回転させて上側羽根３２、３３を上方に回転させ、下側羽根４２、４３を下方に回転させる。もちろん、上側羽根３２、３３より下側羽根４２、４３を先に下方に回転させることができる。
【００４７】
右側羽根３３、４３の外側ボルト胴体３１、４１には締結ナット３５、４５が結合され、第１の回転棒３１に結合された締結ナット３５を締結することにより、右側羽根３３がボルト胴体３１に沿って左側羽根３２方向へ移動する。右側羽根３３が上位プレート２１の側面に当接してそれ以上移動できなくなるとき、締結ナット３５を回転し続けて締結すると、今度は、左側羽根３２もボルト胴体３１に沿って右側羽根３３方向へ移動し、左側羽根３２も上位プレート２１の側面に密着される。
【００４８】
また、第２の回転棒４１に結合された締結ナット４５を締結することにより、右側羽根４３がボルト胴体４１に沿って左側羽根４２方向へ移動する。右側羽根４３が下位プレート２２の側面に当接してそれ以上移動できなくなるとき、締結ナット４５を締結し続けると、今度は、左側羽根４２もボルト胴体４１に沿って右側羽根４３方向へ移動し、左側羽根４２も下位プレート２２の側面に密着される。
【００４９】
つまり、上側羽根を構成する左側羽根３２と右側羽根３３とが互いに向かい合う方向に密着して締結され、下側羽根を構成する左側羽根４２と右側羽根４３とが互いに向かい合う方向に密着して締結される。
【００５０】
また、締結ナット３５によって左右側羽根３２、３３が密着して締結された後、締結付けナット３５の外側ボルト胴体３１には固定ナット３６が結合され、締結けナット４５によって左右側羽根４２、４３が密着して締結された後、締結ナット４５の外側ボルト胴体４１には固定ナット４６が結合される。固定ナット３６、４６を結合して固く固定させることにより、棘突起間癒合型インプラント１０を隣接する棘突起ｓｐ１、ｓｐ２間に挿入
及び結合させる作業が完了することになる。
【００５１】
本発明によれば、上部棘突起と下部棘突起とに弾性力を提供して上部及び下部棘突起間の空間を維持させるだけでなく、上位プレートと下位プレートとに形成された骨癒合孔を介して上部及び下部棘突起と癒合されて動くことにより、棘突起を損傷させずに棘突起間から離脱される現象を防止できるという効果がある。
【００５２】
また、棘突起の側面に挿入後、機構を利用して羽根を回転させ、締結することで、最小浸湿手術が可能であるという効果がある。
【００５３】
また、隣接する棘突起間に挿入後、棘突起の両側面で羽根を締結すれば、羽根に備えられた複数個のスパイクが棘突起の両側面に密着して差し込まれることにより、上側羽根と下側羽根とが上部及び下部棘突起に安定的に結合されるという効果がある。
【００５４】
また、上側羽根と下側羽根とを折れた状態で棘突起間に挿入することができ、挿入の際、羽根が上部及び下部棘突起にかからず、棘突起の後だけでなく、側面でも挿入が可能であるという効果がある。
【００５５】
本発明は、上記の特定の好ましい実施形態に限定されず、特許請求の範囲で請求する本発明の要旨を逸脱せずに、当該発明の属する技術分野における通常の知識を有する者であれば誰でも様々な変形実施が可能であることはもちろんであり、そのような変更は、特許請求の範囲記載の範囲内にあるようになることは自明である。
【符号の説明】
【００５６】
１０  棘突起間癒合型インプラント
２０  スペーサ
２１  上位プレート
２１ａ、２２ａ  貫通ホール
２２  下位プレート
２３ａ、２３ｂ  骨癒合孔
２５  固定突起
３０  上部棘突起結合手段
３１  第１の回転棒
３２、３３  上側羽根
３２ａ、３３ａ、４２ａ、４３ａ  棘突起固定スパイク
３４、４４  ボルト頭部
３５、４５  締結ナット
３６、４６  固定ナット
４０  下部棘突起結合手段
４１  第２の回転棒
４２、４３  下側羽根
【図１】
0006360629.tif 000002
【図２】
0006360629.tif 000003
【図３】
0006360629.tif 000004
【図４】
0006360629.tif 000005
【図５】
0006360629.tif 000006
【図６】
0006360629.tif 000007
【図７】
0006360629.tif 000008
【図８】
0006360629.tif 000009
【図９】
0006360629.tif 000010
【図１０】
0006360629.tif 000011
【図１１】
0006360629.tif 000012
【図１２】
0006360629.tif 000013
【図１３】
0006360629.tif 000014